(57)【要約】  ファックス制御方法であって、ゲートウェイ装置においてファックス信号を前処理する前処理設定ポリシーを予め設定し、該前処理設定ポリシーは成功率に影響を与えるファックス制御パラメータの設定ポリシーを含むことと、ゲートウェイ装置はファックス過程においてファックスパラメータ協議信号を取得し、プリセットの前処理設定ポリシーに基づいて、該ファックスパラメータ協議信号を改めて設定した後に対応のファックス機に送信することと、を含む。従来のVBDファックスに比べて、上記手段は従来のゲートウェイ装置がファックス信号をトランスペアレント伝送することしかできなく、ファックス過程に参与することができない状況を改善し、ゲートウェイ装置は前処理設定ポリシーに基づいてファックス制御パラメータを修正し、ファックス協議パラメータを柔軟に設定することができ、ゲートウェイ装置のファックス機に対する互換性を向上させるとともに、ファックス成功率を向上させ、ファックス失敗の問題が発生する場合、直接にゲートウェイを介してファックス制御パラメータを修正することができ、ファックス機の調整パラメータの修正に限らなく、大幅にユーザエクスペリエンスを高めることができる。【選択図】図1
2018518119.tif 000002
【特許請求の範囲】
【請求項１】
ゲートウェイ装置はファックスパラメータ協議信号を取得することと、
前記ゲートウェイ装置はプリセットの前処理設定ポリシーに基づいて、前記ファックスパラメータ協議信号を設定し、前記前処理設定ポリシーがファックス制御パラメータの設定ポリシーを含み、前記ファックス制御パラメータがファックスの成功率に影響を与えることと、
前記ゲートウェイ装置は設定されたファックスパラメータ協議信号を対応のファックス機に送信することと、を含むファックス制御方法。
【請求項２】
前記ファックスは音声周波数帯域データファックスであり、
前記ゲートウェイ装置がファックスパラメータ協議信号を取得することは、前記ゲートウェイ装置が音声周波数帯域データファックスに入った後、前記ファックスパラメータ協議信号を取得することを含む請求項1に記載のファックス制御方法。
【請求項３】
前記ゲートウェイ装置がファックスパラメータ協議信号を取得することは、
前記ゲートウェイ装置が受信側のゲートウェイ装置である場合、本端のファックス機から前記ファックスパラメータ協議信号を取得することと、
前記ゲートウェイ装置が送信側のゲートウェイ装置である場合、相手端のファックス機から前記ファックスパラメータ協議信号を取得することと、を含む請求項2に記載のファックス制御方法。
【請求項４】
前記ゲートウェイ装置が本端のファックス機から前記ファックスパラメータ協議信号を取得することは、
本端のファックス機から本端のファックス信号を取得することと、
前記本端のファックス信号に対して音声復号化を行うことと、
該本端のファックス信号がファックスパラメータ協議信号であるかどうかを判断することと、を含み、
前記ゲートウェイ装置が相手端のファックス機から前記ファックスパラメータ協議信号を取得することは、
相手端のファックス機の送信した相手端のファックス信号を受信することと、
前記相手端のファックス信号に対して音声復号化を行うことと、
該相手端のファックス信号がファックスパラメータ協議信号であるかどうかを判断することと、を含む請求項3に記載のファックス制御方法。
【請求項５】
前記ゲートウェイ装置が、設定されたファックスパラメータ協議信号を対応のファックス機に送信することは、
前記ゲートウェイ装置が受信側のゲートウェイ装置である場合、設定されたファックスパラメータ協議信号に対して音声符号化を行った後に相手端のファックス機に送信することと、
前記ゲートウェイ装置が送信側のゲートウェイ装置である場合、設定されたファックスパラメータ協議信号に対して音声符号化を行った後に本端のファックス機に送信することと、を含む請求項4に記載のファックス制御方法。
【請求項６】
前記ゲートウェイ装置がファックスパラメータ協議信号を取得する前に、ファックス信号の前処理機能がオンにされたかどうかを判断すること、及び/又は、現在のファックス過程においてファックスパラメータ協議信号を取得したことがあるかどうかを判断して、前記前処理設定ポリシーに基づいて設定を完成すること、を更に含む請求項1〜5のいずれか1項に記載のファックス制御方法。
【請求項７】
前記ファックス制御パラメータはファックス速度パラメータ、エラー制御モードパラメータ及び能力パラメータのうちの少なくとも1種を含む請求項1〜5のいずれか1項に記載のファックス制御方法。
【請求項８】
前記設定ポリシーは、オフにされた後にファックス成功率の向上に寄与するパラメータに対して、オフにし、オンにされた後にファックス成功率の向上に寄与するパラメータに対して、オンにすることである請求項7に記載のファックス制御方法。
【請求項９】
ファックスパラメータ協議信号を取得するように設定される取得モジュールと、
プリセットの前処理設定ポリシーに基づいて、前記ファックスパラメータ協議信号を設定するように設定され、前記前処理設定ポリシーがファックス制御パラメータの設定ポリシーを含み、前記ファックス制御パラメータがファックスの成功率に影響を与える設定処理モジュールと、
設定されたファックスパラメータ協議信号を対応のファックス機に送信するように設定される送信モジュールと、を備えるゲートウェイ装置。
【請求項１０】
前記ファックスは音声周波数帯域データファックスであり、
前記取得モジュールは、音声周波数帯域データファックスに入った後、ファックスパラメータ協議信号を取得するという方式により、前記ファックスパラメータ協議信号を取得する請求項9に記載のゲートウェイ装置。
【請求項１１】
前記取得モジュールがファックスパラメータ協議信号を取得する前に、ファックス信号の前処理機能がオンにされたかどうかを判断し、及び/又は、現在のファックス過程においてファックスパラメータ協議信号を取得したことがあるかどうかを判断して、前記前処理設定ポリシーに基づいて設定を完成するように設定される判断モジュール、を更に備える請求項9又は10に記載のゲートウェイ装置。
【請求項１２】
前記ファックス制御パラメータはファックス速度パラメータ、エラー制御モードパラメータ及び能力パラメータのうちの少なくとも1種を含む請求項9又は10に記載のゲートウェイ装置。
【請求項１３】
前記設定ポリシーは、オフにされた後にファックス成功率の向上に寄与するパラメータに対して、オフにし、オンにされた後にファックス成功率の向上に寄与するパラメータに対して、オンにすることである請求項12に記載のゲートウェイ装置。
【発明の詳細な説明】
【技術分野】
【０００１】
本願はファックスサービス分野に関するがそれに限らなく、ファックス制御方法及びゲートウェイ装置に関する。
【背景技術】
【０００２】
次世代ネットワークにおいて、ファックスサービスはVoIP（Voice over Internet Protocol、ネットワーク電話）技術に基づく音声サービスの1種に属し、ゲートウェイ装置によりデータフローの伝達を実現する。現在、業界においてゲートウェイによりファックスサービスを実現する方式は主にVBD（Voice Band Data、音声周波数帯域データ）及びT.38方式の2種の方式である。
【０００３】
T.38方式とは、T.38プロトコルにより、ファックス機の送信したファックスデータを復調し、プロトコルに規定されたメッセージフォーマットに変換して伝送することを指す。この方式の利点は、プロトコル自体がメッセージのIPネットワークに対する適応性を強化するため、伝送過程においてネットワーク異常対処能力が比較的に強く、ファックス成功率を向上させることができることである。欠点は、実現の複雑性が比較的に高く、現在のネットワークにおいて該機能をサポートするゲートウェイ装置は全部ではないため、互換性が悪いことである。
【０００４】
VBDはトランスペアレント伝送方式であり、G.711音声符号化・復号化により、T.30ファックスデータを通常の音声として伝送する。この方式の利点は、実現しやすく、ファックスデータの具体的な内容に関わらなく、音声符号化・復号化処理のみを行えばよく、互換性が良いことである。従って、現在では主にVBD方式でファックスを行う。しかし、VBD方式の欠点は、IPネットワークへの依存性が高く、ネットワーク状況が安定しない場合、ファックスデータには損失があり、ファックス失敗を招くことである。VBDモードで、VoIPゲートウェイ装置はT.30ファックス信号を全然処理しなく、即ちゲートウェイ装置はファックス信号をトランスペアレント伝送することしかできなく、ファックス制御過程に参与することができないため、ファックス成功率が低い場合、ファックス機自体のパラメータの調整のみで成功率を高め、ユーザの使用するファックス機のパラメータは調整余裕が小さく又は調整できない場合、ファックス機を換えなければ成功率を高めることができなく、ユーザエクスペリエンスの満足度は悪い。
【発明の概要】
【発明が解決しようとする課題】
【０００５】
以下は本文が詳細に説明する主題の概要である。本概要は請求項の保護範囲を制限するためのものではない。
【０００６】
本発明の実施例は、VBDファックスがファックス機の調整パラメータを調整しなければファックス成功率を高めることができない問題を解決するファックス制御方法及びゲートウェイ装置を提供する。
【課題を解決するための手段】
【０００７】
本発明の実施例はファックス制御方法を提供し、
ゲートウェイ装置はファックスパラメータ協議信号を取得することと、
前記ゲートウェイ装置はプリセットの前処理設定ポリシーに基づいて、前記ファックスパラメータ協議信号を設定し、前記前処理設定ポリシーがファックス制御パラメータの設定ポリシーを含み、前記ファックス制御パラメータがファックスの成功率に影響を与えることと、
前記ゲートウェイ装置は設定されたファックスパラメータ協議信号を対応のファックス機に送信することと、を含む。
【０００８】
本発明の一実施例において、前記ファックスは音声周波数帯域データファックスであり、前記ゲートウェイ装置は音声周波数帯域データファックスに入った後、前記ファックスパラメータ協議信号を取得する。
【０００９】
本発明の一実施例において、前記ゲートウェイ装置がファックスパラメータ協議信号を取得することは、
前記ゲートウェイ装置が受信側のゲートウェイ装置である場合、本端のファックス機から前記ファックスパラメータ協議信号を取得することと、
前記ゲートウェイ装置が送信側のゲートウェイ装置である場合、相手端のファックス機から前記ファックスパラメータ協議信号を取得することと、を含む。
【００１０】
本発明の一実施例において、
前記ゲートウェイ装置が本端のファックス機から前記ファックスパラメータ協議信号を取得することは、
本端のファックス機から本端のファックス信号を取得することと、
前記本端のファックス信号に対して音声復号化を行うことと、
該本端のファックス信号がファックスパラメータ協議信号であるかどうかを判断することと、を含み、
前記ゲートウェイ装置が相手端のファックス機から前記ファックスパラメータ協議信号を取得することは、
相手端のファックス機の送信した相手端のファックス信号を受信することと、
前記相手端のファックス信号に対して音声復号化を行うことと、
該相手端のファックス信号がファックスパラメータ協議信号であるかどうかを判断することと、を含む。
【００１１】
本発明の一実施例において、前記ゲートウェイ装置が、設定されたファックスパラメータ協議信号を対応のファックス機に送信することは、
前記ゲートウェイ装置が受信側のゲートウェイ装置である場合、設定されたファックスパラメータ協議信号に対して音声符号化を行った後に相手端のファックス機に送信することと、
前記ゲートウェイ装置が送信側のゲートウェイ装置である場合、設定されたファックスパラメータ協議信号に対して音声符号化を行った後に本端のファックス機に送信することと、を含む。
【００１２】
本発明の一実施例において、前記ゲートウェイ装置がファックスパラメータ協議信号を取得する前に、前記方法は、ファックス信号の前処理機能がオンにされたかどうかを判断すること、及び/又は、現在のファックス過程においてファックスパラメータ協議信号を取得したことがあるかどうかを判断して、前記前処理設定ポリシーに基づいて設定を完成すること、を更に含む。
【００１３】
本発明の一実施例において、前記ファックス制御パラメータはファックス速度パラメータ、エラー制御モードパラメータ及び能力パラメータのうちの少なくとも1種を含む。
【００１４】
本発明の一実施例において、前記設定ポリシーは、オフにされた後にファックス成功率の向上に寄与するパラメータに対して、オフにし、オンにされた後にファックス成功率の向上に寄与するパラメータに対して、オンにすることである。
【００１５】
本発明の実施例はゲートウェイ装置を更に提供し、
ファックスパラメータ協議信号を取得するように設定される取得モジュールと、
プリセットの前処理設定ポリシーに基づいて、前記ファックスパラメータ協議信号を設定するように設定され、前記前処理設定ポリシーがファックス制御パラメータの設定ポリシーを含み、前記ファックス制御パラメータがファックスの成功率に影響を与える設定処理モジュールと、
設定されたファックスパラメータ協議信号を対応のファックス機に送信するように設定される送信モジュールと、を備える。
【００１６】
本発明の一実施例において、前記ファックスは音声周波数帯域データファックスであり、前記取得モジュールは、音声周波数帯域データファックスに入った後、ファックスパラメータ協議信号を取得するという方式により、前記ファックスパラメータ協議信号を取得する。
【００１７】
本発明の一実施例において、前記ゲートウェイ装置は、前記取得モジュールがファックスパラメータ協議信号を取得する前に、ファックス信号の前処理機能がオンにされたかどうかを判断し、及び/又は、現在のファックス過程においてファックスパラメータ協議信号を取得したことがあるかどうかを判断して、前記前処理設定ポリシーに基づいて設定を完成するように設定される判断モジュール、を更に備える。
【００１８】
本発明の一実施例において、前記ファックス制御パラメータはファックス速度パラメータ、エラー制御モードパラメータ及び能力パラメータのうちの少なくとも1種を含む。
【００１９】
本発明の一実施例において、前記設定ポリシーは、オフにされた後にファックス成功率の向上に寄与するパラメータに対して、オフにし、オンにされた後にファックス成功率の向上に寄与するパラメータに対して、オンにすることである。
【００２０】
本発明の実施例はコンピュータ読み取り可能な記憶媒体を更に提供し、コンピュータ実行可能な指令が記憶され、前記コンピュータ実行可能な指令が実行される場合、上記ファックス制御方法を実現する。
【発明の効果】
【００２１】
本発明の実施例によるファックス制御方法及びゲートウェイ装置によれば、ゲートウェイ装置においてファックス信号を前処理する前処理設定ポリシーを予め設定し、該前処理設定ポリシーは成功率に影響を与えるファックス制御パラメータの設定ポリシーを含み、ゲートウェイ装置はファックス過程においてファックスパラメータ協議信号を取得し、プリセットの前処理設定ポリシーに基づいて、該ファックスパラメータ協議信号を改めて設定した後に対応のファックス機に送信する。従来のVBDファックスに比べて、本発明の実施例による処理方式は従来のゲートウェイ装置がファックス信号をトランスペアレント伝送することしかできなく、ファックス過程に参与することができない状況を改善し、本発明の実施例によるゲートウェイ装置は前処理設定ポリシーに基づいてファックス制御パラメータを修正し、ファックス協議パラメータを柔軟に設定することができ、ゲートウェイ装置のファックス機に対する互換性を向上させるとともに、ファックス成功率を向上させ、ゲートウェイ装置の商業化又はネットワークアクセステストにはファックス失敗の問題が発生する場合、直接にゲートウェイを介してファックス制御パラメータを修正することができ、ファックス機の調整パラメータの修正に限らなく、大幅にユーザエクスペリエンスを高めることができる。
【００２２】
図面及び詳細の説明を読んで理解した後、他の方面を理解できる。
【図面の簡単な説明】
【００２３】
【図１】図1は本発明の実施例1によるファックス制御方法のフロー模式図である。
【図２】図2は本発明の実施例2によるゲートウェイ装置の構造模式図である。
【図３】図3は本発明の実施例3によるファックスネットワークシステムの構造模式図である。
【図４】図4は本発明の実施例3によるゲートウェイ装置が受信方とされる場合のファックス制御方法のフロー模式図である。
【図５】図5は本発明の実施例3によるゲートウェイ装置が送信方とされる場合のファックス制御方法のフロー模式図である。
【発明を実施するための形態】
【００２４】
本発明の実施例では、ゲートウェイ装置においてファックス信号を前処理する前処理設定ポリシーを予め設定し、ゲートウェイ装置はファックス過程においてファックスパラメータ協議信号を取得し、プリセットの前処理設定ポリシーに基づいて、該ファックスパラメータ協議信号を改めて設定した後に対応のファックス機に送信する。即ち、本発明の実施例によるゲートウェイ装置は前処理設定ポリシーに基づいてファックス制御パラメータを修正し、ファックス協議パラメータを柔軟に設定することができ、従来のVBDファックスに比べて、従来のゲートウェイ装置がファックス信号をトランスペアレント伝送することしかできなく、ファックス過程に参与することができない状況を改善し、ゲートウェイ装置のファックス機に対する互換性を向上させるとともに、ファックス成功率を向上させ、ファックス失敗の問題が発生する場合、直接にゲートウェイを介してファックス制御パラメータを修正することができ、大幅にユーザエクスペリエンスを高めることができる。
【００２５】
以下、具体的な実施形態により、図面を参照しながら、本発明の実施例を詳しく説明する。
【００２６】
実施例1
図1に示すように、本実施例によるファックス制御方法は、下記ステップS101〜S104を含む。
【００２７】
ステップS101、ゲートウェイ装置においてファックス信号を前処理する前処理設定ポリシーを予め設定する。
該ステップにおいて設定される前処理設定ポリシーは、成功率に影響を与えるファックス制御パラメータの設定ポリシーを含み、これらの制御パラメータはファックス速度パラメータ、エラー制御モードパラメータ及び能力パラメータのうちの少なくとも1種を含むがそれらに限らなく、能力パラメータはV.6符号化能力パラメータ、V.8能力パラメータ等を含むがそれらに限らない。
本実施例による設定ポリシーは、オフにされた後にファックス成功率の向上に寄与するパラメータに対して、オフにし（例えば0に設定する）、オンにされた後にファックス成功率の向上に寄与するパラメータに対して、オンにする（例えば1に設定する）ように設定されてもよい。
【００２８】
ステップS102、ゲートウェイ装置はファックスパラメータ協議信号を取得する。
【００２９】
ステップS103、ゲートウェイ装置はプリセットの前処理設定ポリシーに基づいて、該ファックスパラメータ協議信号を設定する。
【００３０】
ステップS104、ゲートウェイ装置は設定されたファックスパラメータ協議信号を対応のファックス機に送信する。
本実施例によるゲートウェイ装置は前処理設定ポリシーに基づいてファックス制御パラメータを修正し、ファックス協議パラメータを柔軟に設定することができ、従来のVBDファックスに比べて、従来のゲートウェイ装置がファックス信号をトランスペアレント伝送することしかできなく、ファックス過程に参与することができない状況を改善し、ゲートウェイ装置のファックス機に対する互換性を向上させるとともに、ファックス成功率を向上させ、ファックス失敗の問題が発生する場合、直接にゲートウェイ装置を介してファックス制御パラメータを修正することができ、大幅にユーザエクスペリエンスを高めることができる。
【００３１】
以下、本実施例ではVBDファックス方式を例として本発明の実施例の手段を説明するが、理解できるように、本発明の実施例は該VBDファックス方式に限らなく、他のファックス方式に対して、協議過程において本発明の実施例によるファックス信号を前処理してファックス成功率を向上させる手段を採用してもよい。
【００３２】
VBDファックス手段を採用する場合、上記ステップS102においてゲートウェイ装置は、VBDファックスに入った後にファックスパラメータ協議信号を取得する。ゲートウェイ装置がファックスパラメータ協議信号を取得することは、
ゲートウェイ装置が受信側のゲートウェイ装置である場合、即ちそのコネクトするファックス機が受信側である場合、本端のファックス機からファックスパラメータ協議信号を取得し、取得過程は、
本端のファックス機から本端のファックス信号を取得し、該ファックス信号は一般的にサンプリング、量子化、音声符号化された本端のファックス信号であることと、
本端のファックス信号に対して音声復号化を行うことと、
復号化された本端のファックス信号がファックスパラメータ協議信号であるかどうかを判断し、そうであると、上記ステップS103に移行し、そうでないと、設定しなく、直接に後続の該ファックス信号を相手端のファックス機に送信する動作を行うことと、を含むことと、
ゲートウェイ装置が送信側のゲートウェイ装置である場合、相手端のファックス機からファックスパラメータ協議信号を取得し、取得過程は、
相手端のファックス機の送信した相手端のファックス信号を受信し、伝送の便利のために、該ファックス信号も音声符号化されたものであることと、
相手端のファックス信号に対して音声復号化を行うことと、
該相手端のファックス信号がファックスパラメータ協議信号であるかどうかを判断し、そうであると、上記ステップS103に移行し、そうでないと、設定しなく、直接に後続の該ファックス信号を本端のファックス機に送信する動作を行うことと、を含むことと、を含む。
【００３３】
上記ステップS104において、ゲートウェイ装置が、設定されたファックスパラメータ協議信号を対応のファックス機に送信することは、
ゲートウェイ装置が受信側のゲートウェイ装置である場合、設定されたファックスパラメータ協議信号に対して音声符号化を行った後に相手端のファックス機に送信することと、
ゲートウェイ装置が送信側のゲートウェイ装置である場合、設定されたファックスパラメータ協議信号に対して音声符号化を行った後に本端のファックス機に送信することと、を含む。
【００３４】
理解できるように、上記過程における音声符号化・復号化はゲートウェイ装置に設置される符号化・復号化モジュールにより実現されてもよく、上層又は下層装置に設置される符号化・復号化モジュールにより実現されてもよい。
【００３５】
上記ステップS101では、ゲートウェイ装置においてファックス信号を前処理する前処理設定ポリシーを予め設定する際に、ユーザは対応のヒューマンコンピュータインタフェースによりデータベーステーブルにおいて対応の設定を行うことができ、設定する際に上記ファックス信号の前処理機能をオンにするかどうかを選択的に設定することができ、オンにされる場合のみに上記図1に示す過程を実行し、さもないと実行しなく、もちろん、該オンのオプションの設定を行わなく、直接にオンとしてデフォルトしてもよい。
【００３６】
また、1回のファックス過程において、ファックス信号に対して1回の成功する前処理を行えばよく、従って、上記ステップS101の前に、現在のファックス過程においてファックスパラメータ協議信号を取得したことがあるかどうかを判断して、前処理設定ポリシーに基づいて設定を完成してもよく、取得したことがあると、繰り返して設定する必要がない。もちろん、1回のファックス過程において、ファックス信号の前処理を動的に調整する必要がある場合、即ち設定を動的に調整する必要がある場合、複数回の前処理を行っても良い。
【００３７】
実施例2
図2を参照して、本実施例はゲートウェイ装置を提供し、
ファックスパラメータ協議信号を取得するように設定される取得モジュール1と、
プリセットの前処理設定ポリシーに基づいて、前記ファックスパラメータ協議信号を設定するように設定され、前処理設定ポリシーがファックス制御パラメータの設定ポリシーを含み、ファックス制御パラメータはファックス成功率に影響を与えるパラメータを含み、これらの制御パラメータはファックス速度パラメータ、エラー制御モードパラメータ及び能力パラメータのうちの少なくとも1種を含むがそれらに限らなく、能力パラメータはT.6符号化能力パラメータ、V.8能力パラメータ等を含むがそれらに限らなく、本実施例による設定ポリシーは、オフにされた後にファックス成功率の向上に寄与するパラメータに対して、オフにし（例えば0に設定する）、オンにされた後にファックス成功率の向上に寄与するパラメータに対して、オンにする（例えば1に設定する）ように設定されてもよく設定処理モジュール2と、
設定されたファックスパラメータ協議信号を対応のファックス機に送信するように設定される送信モジュール3と、を備える。
【００３８】
前記ゲートウェイ装置は、ゲートウェイ装置においてファックス信号を前処理する前処理設定ポリシーを予め設定するように設定される設定モジュール4を更に備える。
【００３９】
よりよく説明するために、本実施例ではVBDファックス方式を例として本発明の実施例の手段を説明するが、理解できるように、本発明の実施例は該VBDファックス方式に限らなく、他のファックス方式に対して、協議過程において本発明の実施例によるファックス信号を前処理してファックス成功率を向上させる手段を採用してもよい。
【００４０】
VBDファックス手段を採用する場合、取得モジュール1はVBDファックスに入った後、ファックスパラメータ協議信号を取得する。
【００４１】
取得モジュール1は、下記方式によりファックスパラメータ協議信号を取得する。
取得モジュール1の所在するゲートウェイ装置が受信側のゲートウェイ装置である場合、即ちそのコネクトするファックス機が受信側である場合、本端のファックス機からファックスパラメータ協議信号を取得し、取得過程は、
本端のファックス機から本端のファックス信号を取得し、該ファックス信号は一般的にサンプリング、量子化、音声符号化された本端のファックス信号であることと、
本端のファックス信号に対して音声復号化を行うことと、
復号化された本端のファックス信号がファックスパラメータ協議信号であるかどうかを判断し、そうであると、上記設定処理モジュール2に移行して設定し、そうでないと、直接に後続の該ファックス信号を相手端のファックス機に送信する動作を行うことと、を含む。
取得モジュール1の所在するゲートウェイ装置が送信側のゲートウェイ装置である場合、相手端のファックス機からファックスパラメータ協議信号を取得し、取得過程は、
相手端のファックス機の送信した相手端のファックス信号を受信し、伝送の便利のために、該ファックス信号も音声符号化されたものであることと、
該相手端のファックス信号に対して音声復号化を行うことと、
該相手端のファックス信号がファックスパラメータ協議信号であるかどうかを判断し、そうであると、上記設定処理モジュール2に移行して設定し、そうでないと、設定しなく、直接に後続の該ファックス信号を本端のファックス機に送信する動作を行うことと、を含む。
【００４２】
上記送信モジュール3は、
ゲートウェイ装置が受信側のゲートウェイ装置である場合、設定されたファックスパラメータ協議信号に対して音声符号化を行った後に相手端のファックス機に送信し、
ゲートウェイ装置が送信側のゲートウェイ装置である場合、設定されたファックスパラメータ協議信号に対して音声符号化を行った後に本端のファックス機に送信するという方式により、設定されたファックスパラメータ協議信号を対応のファックス機に送信する。
【００４３】
本実施例において、ゲートウェイ装置は、取得モジュール1がファックスパラメータ協議信号を取得する前に、ファックス信号の前処理機能がオンにされたかどうかを判断し、及び/又は、現在のファックス過程においてファックスパラメータ協議信号を取得したことがあるかどうかを判断して、前記前処理設定ポリシーに基づいて設定を完成するように設定される判断モジュール5、を更に備える。
【００４４】
上記設定モジュール4はファックス信号を前処理する前処理設定ポリシーを予め設定する際に、ユーザは対応のヒューマンコンピュータインタフェースによりデータベーステーブルにおいて対応の設定を行うことができ、設定する際に上記ファックス信号の前処理機能をオンにするかどうかを選択的に設定することができ、オンにされる場合のみに上記前処理過程を実行し、さもないと実行しなく、もちろん、該オンのオプションの設定を行わなく、直接にオンとしてデフォルトしてもよい。
【００４５】
また、1回のファックス過程において、ファックス信号に対して1回の成功する前処理を行えばよく、従って、判断モジュール5は現在のファックス過程においてファックスパラメータ協議信号を取得したことがあるかどうかを判断して、前処理設定ポリシーに基づいて設定を完成してもよく、取得したことがあると、繰り返して設定する必要がない。もちろん、1回のファックス過程において、ファックス信号の前処理を動的に調整する必要がある場合、即ち設定を動的に調整する必要がある場合、複数回の前処理を行っても良い。
【００４６】
実施例3
以下、具体的な適用シーンを例として、本発明の実施例を説明する。
【００４７】
図3は本実施例のシステム構造模式図であり、図3に示すように、本実施例は本端のファックス機と遠端のファックス機との間にファックスを行うモジュールアーキテクチャ図を説明し、本端のゲートウェイ装置、シグナリングサーバ、中間装置、本端のファックス機及び遠端のファックス機を備える。2つのファックス機の機能を繰り返して説明しない。
【００４８】
本端のゲートウェイ装置はゲートウェイをコアとする綜合システム製品であり、各種のアップリンクホームゲートウェイ及びそのアップリンク装置、トランキングゲートウェイ及びそのコネクトするユーザインタフェース装置、アクセスゲートウェイを含むがそれらに限らない。コアのゲートウェイはファックス機を直接又は間接にコネクトすることができ、アップリンクではイーサネット（登録商標）に直接又は間接に接続することができる。本方法を実現するためのコードはこのようなゲートウェイにおいて実行される。
【００４９】
コールシグナリングサーバは通話シグナリングを処理する装置であり、sip（Session Initiation Protocol、セッションイニシエーションプロトコル）サーバ、ソフトスイッチ等を含むがそれらに限らない。
【００５０】
中間装置は遠端のファックス機のコネクトする装置を表示し、類似のゲートウェイシステムである可能性があり、仮想ファックス機又はネットワークファックス機のインタフェースシステムである可能性もある。ファックス信号はT.30信号であり、ファックスパラメータ協議信号はDIS（Digital Identification Signal、デジタル識別信号）である。
【００５１】
VBDファックスを確立する前に、ヒューマンコンピュータインタフェースによりデータベーステーブルの内容を設定し、T.30信号の前処理機能の起動を確認するとともに、前処理ポリシーを設定する。VBDファックスに入った後、データベース設定テーブルを読み取り、前処理機能をオンにする。ファックスプロトコルの協議の確立側が受信側であることを考慮すれば、本実施例では2つの場合に分けて考慮する必要がある。ゲートウェイ装置の本端のコネクトするファックス機が受信側である場合、変調及び復調モジュールを起動し、まずファックスチャネル内のデータに対して復号化処理を行い、それから出力結果を復調モジュールに入力し、データテーブルの設定内容に基づいて、復調モジュールの出力した結果を修正し、その出力は順に変調モジュールと符号化モジュールを経由した後に通常に遠端に送信し、この時、遠端のファックス信号を全然処理せずに、ローカルファックス機にトランスペアレント伝送する。ゲートウェイ装置の本端のコネクトするファックス機が送信側である場合、ローカルファックス機の送信したデータを処理しないが、遠端のファックス機のデータがローカルゲートウェイ装置に送信された場合、変調及び復調モジュールを起動する必要があり、まずデータに対して復号化処理を行い、それから出力結果を復調モジュールに入力し、データテーブルの設定内容に基づいて、復調モジュールの出力した結果を修正し、その出力は順に変調モジュールと符号化モジュールを経由した後にローカルファックス機に送信する。ファックス協議が成功することを確認してデータ伝送が開始した後、変調復調モジュールをオフにする。
【００５２】
具体的な実施過程は、図3に示すシステムをハードウェアアーキテクチャとし、2つのファックス機が既にVBDファックスに入り始めたことを前提とし、本端のゲートウェイシステムにおいて機能の実現を完成し、ファックス送受信パケットに基づいて（即ち受信側と送信側として）2つのフローに分けられ、図4と図5を参照して説明する。該具体的な実施例の設定環境条件は、PC機においてヒューマンコンピュータインタフェースによりVBDファックス前処理T.30信号機能を起動して、ECM機能を閉じるように設定することである。ECMはファックス機自己誤り修正モードであり、ネットワーク環境が一般的なものである場合、起動すればページ情報を繰り返してファックスして、オーバータイムしファックス失敗を招く。ECMを閉じる場合、ページ情報における少ないミスを招く可能性があるが、読み取りに影響を与えなく、ファックス成功率を大幅に高める。これはファックス機の柔軟に設定可能な機能に属する。
【００５３】
図4に示すように、ファックスの本端が受信側である場合にT.30信号を前処理するステップは下記通りである。
【００５４】
ステップS401、サンプリング、量子化、符号化された本端のファックス機の信号を取得する。
【００５５】
ステップS402、データベースの設定を読み取る。
【００５６】
ステップS403、データベーステーブルの内容に基づいて、T.30信号の前処理機能を起動するかどうかを確定し、起動する場合、設定の内容を記憶し、ステップS404を実行し、起動しない場合、ステップS411を実行する。
【００５７】
ステップS404、ファックス信号の前処理設定を1回完成したかどうかを判断し、そうである場合、ステップS411を実行し、そうではない場合、ステップS405を実行する。
【００５８】
ステップS405、該ファックス機の信号に対してPCM復号化を行う。PCM（Pulse Code Modulation、パルス符号変調）バスにおいて伝送するために、取得したファックス信号は一般的に符号化されたものであり、従って、後続の処理のために、PCM復号化を行う必要がある。
【００５９】
ステップS406、ファックス復調モジュールを起動し、現在の処理するファックス信号がDIS信号であるかどうかを判断するために、PCM復号化後のデータに対してV21復調操作を行う。
【００６０】
ステップS407、T.30ファックス信号におけるDIS信号はファックスパラメータ協議の開始信号であり、協議パラメータも含めるため、復調モジュールの出力結果に基づいて現在がDIS信号であるかどうかを判断し、そうである場合、ステップS408を実行し、そうではない場合、ステップS410を実行する。
【００６１】
ステップS408、DIS信号は127個のビット設定可能なオプションを有し、第27位のビットはECMが起動するかどうかを表示し、1がオンであり、0がオフであり、従って、該ビットを0に設定する。
【００６２】
ステップS409、1回のファックス過程では協議段階において1回のデータ設定を完成すればよいため、上記ステップS404での判断のために、設定完成標識ビットを設定する必要がある。
【００６３】
ステップS410、ファックスデータは復調後のみに判断及び修正することができ、該操作を完成した後、変調状態に回復すべきであり、従って、ファックス変調モジュールを起動し、復調後のデータを回復的に変調する。
【００６４】
ステップS411、VoIPシステムの処理した音声信号はいずれも符号化して送信する必要があり、VBDファックスは音声チャネルにおいてファックスデータをトランスペアレント伝送し、従って、音声符号化を行った後に送信する必要がある。
【００６５】
ステップS412、上記操作を完成した後、ファックス信号をネットワークインタフェースに送信し、上層装置により遠端のファックス装置へ転送し、1回のファックスが終了する前に、循環して処理する必要があるため、ステップS401に戻る。
【００６６】
図5に示すように、ファックスの本端が送信側である場合にT.30信号を前処理するステップは下記通りである。
【００６７】
ステップS501、音声符号化された遠端のファックス機の信号を取得する。
【００６８】
ステップS502、データベースの設定を読み取る。
【００６９】
ステップS503、データベーステーブルの内容に基づいて、T.30信号の前処理機能を起動するかどうかを確定し、起動する場合、設定の内容を記憶し、ステップS504を実行し、起動しない場合、ステップS511を実行する。
【００７０】
ステップS504、ファックス信号の設定を1回完成したかどうかを判断し、そうである場合、ステップS511を実行し、そうではない場合、ステップS505を実行する。
【００７１】
ステップS505、遠端の信号に対してPCM復号化を行う。
【００７２】
ステップS506、ファックス復調モジュールを起動し、現在の処理するファックス信号がDIS信号であるかどうかを判断するために、PCM復号化後のデータに対してV21復調操作を行う。
【００７３】
ステップS507、T.30ファックス信号におけるDIS信号はファックスパラメータ協議の開始信号であり、協議パラメータも含めるため、復調モジュールの出力結果に基づいて現在がDIS信号であるかどうかを判断し、そうである場合、ステップS508を実行し、そうではない場合、ステップS510を実行する。
【００７４】
ステップS508、DIS信号は127個のビット設定可能なオプションを有し、第27位のビットはECMが起動するかどうかを表示し、1がオンであり、0がオフであり、従って、該ビットを0に設定する。
【００７５】
ステップS509、1回のファックス過程では協議段階において1回のデータ設定を完成すればよいため、上記ステップS504での判断のために、設定完成標識ビットを設定する必要がある。
【００７６】
ステップS510、ファックスデータは復調後のみに判断及び修正することができ、該操作を完成した後、変調状態に回復すべきであり、従って、ファックス変調モジュールを起動し、復調後のデータを回復的に変調する。
【００７７】
ステップS511、データのPCMバスでの伝送の便利のために、PCM符号化処理を行う。
【００７８】
ステップS512、上記操作を完成した後、PCMバスで信号をローカルファックス機に送信し、1回のファックスが終了する前に、循環して処理する必要があるため、ステップS501に戻る。
【００７９】
上記T.30信号を前処理することによりファックス成功率を高める方法では、従来のVBDファックス制御を改善し、ゲートウェイ装置のファックス機に対する互換性を大幅に向上させ、ファックス成功率を高め、ユーザのファックスサービスの高品質の体験を確保する。理解できるように、T.30信号を前処理する際に、複数種の設定が可能であるが、いずれも本方法に含まれ、上記実施例は本願が所定の目的を達成するために採用する技術手段及び効果に対する詳細で具体的な理解であり、本願を制限するためのものではない。ファックス機自体のパラメータを変更する必要がなく、VBDファックスにおいてファックスパラメータ設定を完成するいかなる方法は、いずれも本願の範囲に属する。
【００８０】
また、本発明の実施例はコンピュータ読み取り可能な記憶媒体を更に提供し、コンピュータ実行可能な指令が記憶され、前記コンピュータ実行可能な指令が実行される場合、上記ファックス制御方法を実現する。
【００８１】
当業者が理解することができるように、上記方法における全部又は一部のステップはプログラムが関連のハードウェア（例えばプロセッサ）を指令することにより完成することができ、前記プログラムはコンピュータ可読記憶媒体、例えば読み出し専用メモリ、ディスク又は光ディスクなどに記憶することができる。選択的に、上記実施例の全部又は一部のステップは、1つ又は複数の集積回路を採用して達成することもできる。対応的に、上記実施例における各モジュール/ユニットはハードウェアの形式で達成してよく、例えば集積回路で対応する機能を実現し、ソフトウェア機能モジュールの形式で達成してもよく、例えばプロセッサでメモリに記憶されるプログラム/指令を実行することにより対応する機能を実現する。本願はいずれの特定形式のハードウェアとソフトウェアの組合わせに限定されたものではない。
【００８２】
上記内容は具体的な実施形態を参照しながら本願をより詳細に説明するものであり、本願の具体的な実施はこれらの説明に限らない。当業者にとって、本願の考案を逸らさない前提で、若干の簡単な推論又は置き換えを行えるが、いずれも本願の保護範囲に属する。
【産業上の利用可能性】
【００８３】
本発明の実施例はファックス制御方法及びゲートウェイ装置を提供し、ゲートウェイ装置は前処理設定ポリシーに基づいてファックス制御パラメータを修正し、ファックス協議パラメータを柔軟に設定することができ、ゲートウェイ装置のファックス機に対する互換性を向上させるとともに、ファックス成功率を向上させ、ゲートウェイ装置の商業化又はネットワークアクセステストにはファックス失敗の問題が発生する場合、直接にゲートウェイ装置を介してファックス制御パラメータを修正することができ、ファックス機の調整パラメータの修正に限らなく、大幅にユーザエクスペリエンスを高めることができる。
【図１】
2018518119.tif 000003
【図２】
2018518119.tif 000004
【図３】
2018518119.tif 000005
【図４】
2018518119.tif 000006
【図５】
2018518119.tif 000007
【国際調査報告】
2018518119.tif 000008
2018518119.tif 000009
2018518119.tif 000010
2018518119.tif 000011